【手続補正書】
【提出日】平成16年12月1日(2004.12.1)
【手続補正１】
【補正対象書類名】明細書
【補正対象項目名】特許請求の範囲
【補正方法】変更
【補正の内容】
【特許請求の範囲】
【請求項１】
１次巻線（４，５）及び２次巻線（１５，１９）を有するトランス（６，７）を少なくとも１つ備え、該トランス（６，７）の１次巻線（４，５）は直流電源（２）に接続可能であり、
バイアス手段（４５、５０）を備えた駆動電極（１３，１４）を有している能動電子スイッチング手段（１１，１２）を備え、該スイッチング手段（１１，１２）は前記トランスの巻線（４、５、１９、１５）を介して交流電流が流れるようにし、
前記トランスの巻線（４，５，１９，１５）の少なくとも１つにおける過電流を検出するための手段（４４）が該巻線および保護回路（２４）に接続されており、
該保護回路（２４）は前記検出手段（４４）の出力側（４５）に接続されている第１の入力側（４６）と、前記直流電源（２）に接続されている第２の入力側（５１）と、前記スイッチング手段（１１，１２）の前記駆動電極（１３，１４）の数と同じ数の出力側（４７，４８）とを有しており、
該出力側（４７，４８）は第１の状態と第２の状態とをとることができ、該第１の状態は、前記検出手段の検出された電流が所定のレベル以下にあるときの前記出力側（４７，４８）の状態であり、前記第２の状態は、前記検出手段（４４）によって検出された電流が所定のレベルを上回っているときの前記出力側（４７，４８）の状態であり、
前記保護回路（２４）の前記出力側（４７，４８）は前記能動電子スイッチング手段（１１，１２）の前記バイアス手段（４９，５０）に接続されており、該バイアス手段（４９，５０）は、前記保護回路（２４）の前記出力側（４７，４８）が第１の状態にあるとき、前記スイッチング手段（１１，１２）を通常の動作状態に駆動し、かつ前記出力側（４７，４８）が第２の状態にあるとき前記スイッチング手段（１１，１２）を持続的なオフ状態に駆動する、ｄｃ／ｄｃコンバータにおいて、
前記保護回路（２４）の前記第２の入力側（５１）は、該保護回路（２４）の前記出力側（４７，４８）の第１の状態を変化させる最適駆動回路（４１）を介して前記直流電源（２）に接続されており、前記第１の状態は、該直流電源（２）が電圧値の第１の範囲にあるとき第１のレベルに設定され、直流電源（２）が電圧値の第２の範囲にあるとき第２のレベルに設定される、
ことを特徴とするｄｃ／ｄｃコンバータ。
【請求項２】
前記スイッチング手段（１１，１２）の前記バイアス手段（４９，５０）は前記第１のトランス（６）および第２のトランス（７）の直列１次巻線（４，５）を含んでいる回路内にある
請求項１記載のｄｃ／ｄｃコンバータ。
【請求項３】
前記スイッチング手段（１１，１２）はトランジスタである
請求項１または２記載のｄｃ／ｄｃコンバータ。
【請求項４】
前記最適駆動回路（４１）は抵抗（４３）に直列接続されているツエナーダイオード（４２）を有している
請求項１記載のｄｃ／ｄｃコンバータ。
【請求項５】
前記保護回路（２４）は双安定回路である
請求項１から４までのいずれか１項記載のｄｃ／ｄｃコンバータ。
【請求項６】
請求項１から５までのいずれか１項記載のｄｃ／ｄｃコンバータを装備しているテレビジョン装置またはモニタ。
【請求項７】
少なくとも第１の１次巻線（１７）および第２の１次巻線（１８）および少なくとも１つの２次巻線（１５）を有している第１のトランス（６）を備え、１次巻線（５）および２次巻線（１９，２３）を有している第２のトランス（７）を備え、該第２のトランス（７）の前記１次巻線（５）は中間タップ（６１）を有しており、
前記第１のトランス（６）の前記第１の１次巻線（１７）および第２の１次巻線（１８）は、前記第２のトランス（７）の前記１次巻線（５）および第１の能動電子スイッチング手段（１１）および第２の能動電子スイッチング手段（１２）に直列に接続されており、該スイッチング手段はそれぞれ、バイアス手段（４９，５０）を備えた駆動部（１３，１４）を有しており、前記第１のスイッチング手段（１１）は前記第１のトランス（６）の前記第１の１次巻線（１７）と前記第２のトランス（７）の前記１次巻線（５）の前記中間タップ（６１）との間を流れる電流をスイッチングするために接続されており、前記第２のスイッチング手段（１２）は前記第１のトランス（６）の前記第２の１次巻線（１８）と前記第２のトランス（７）の前記１次巻線（５）の前記中間タップ（６１）との間を流れる電流をスイッチングするために接続されており、
該スイッチング手段（１１，１２）それぞれの前記駆動部（１３，１４）は前記第２のトランス（７）の前記第２の２次巻線（２３）からフィードバック（５２，５３）されるようになっており、
前記トランス（６，７）の巻線（１７，１８，１５，１９，２３）の１つにおける過電流を検出するための手段（４４）が設けられており、該検出手段は該巻線（１７，１８，１５，１９，２３）および保護回路（２４）に接続されており、
該保護回路（２４）は前記検出手段（４４）の出力側（４５）に接続されている第１の入力側（４６）と、直流電源（２）に接続されている第２の入力側（５１）と、前記スイッチング手段（１１，１２）の前記駆動部（１３，１４）の数と同じ数の出力側（４７，４８）とを有しており、
該出力側（４７，４８）は第１の状態と第２の状態とをとることができ、該第１の状態は、前記検出手段（４４）の検出された電流が所定のレベル以下にあるときの前記出力側（４７，４８）の状態であり、前記第２の状態は、前記検出手段（４４）によって検出された電流が所定のレベルを上回っているときの前記出力側（４７，４８）の状態であり、
前記保護回路（２４）の前記出力側（４７，４８）は前記スイッチング手段（１１，１２）の前記バイアス手段（４９，５０）に接続されており、該バイアス手段（４９，５０）は、前記保護回路（２４）の前記出力側（４７，４８）が第１の状態にあるとき、前記スイッチング手段（１１，１２）を通常の動作状態に駆動しかつ前記出力側（４７，４８）が第２の状態にあるとき、前記スイッチング手段（１１，１２）をオフ状態に駆動する、
自己発振プッシュプルｄｃ／ｄｃコンバータにおいて、
前記保護回路（２４）の前記第２の入力側（５１）は、該保護回路（２４）の前記出力側（４７，４８）の第１の状態を変化させる最適駆動回路（４１）を介して前記直流電源（２）に接続されており、前記第１の状態は、該直流電源（２）が電圧値の第１の範囲にあるとき第１のレベルに設定され、直流電源（２）が電圧値の第２の範囲にあるとき第２のレベルに設定される、
ことを特徴とする自己発振プッシュプルｄｃ／ｄｃコンバータ。
【請求項８】
前記スイッチング手段（１１，１２）の前記バイアス手段（４９，５０）は前記第１のトランス（６）および第２のトランス（７）の直列１次巻線（４，５）を含んでいる回路内にありかつ前記バイアス手段（４９，５０）は前記第２のトランス（７）の２次巻線（２３）の１つから到来するフィードバック（５２，５３）に接続されている
請求項７記載の自己発振プッシュプルｄｃ／ｄｃコンバータ。
【請求項９】
前記第２のトランス（７）の２次巻線（２３）の１つから到来するフィードバック（５２，５３）は、前記保護回路（２４）の出力側（４７，４８）が前記第２の状態にあるとき導通状態にあるダイオード（３３，３４）に並列に接続されている
請求項８記載の自己発振プッシュプルｄｃ／ｄｃコンバータ。
【請求項１０】
前記ダイオード（３３，３４）は前記保護回路（２４）の出力側（４７，４８）にも接続されている
請求項９記載の自己発振プッシュプルｄｃ／ｄｃコンバータ。
【請求項１１】
前記スイッチング手段（１１，１２）はトランジスタである
請求項１０記載の自己発振プッシュプルｄｃ／ｄｃコンバータ。
【請求項１２】
前記最適駆動回路（４１）は抵抗（４３）に直列接続されているツエナーダイオード（４２）を有している
請求項７記載の自己発振プッシュプルｄｃ／ｄｃコンバータ。
【請求項１３】
前記保護回路（２４）は双安定回路である
請求項７から１２までのいずれか１項記載の自己発振プッシュプルｄｃ／ｄｃコンバータ。
【請求項１４】
請求項７から１３までのいずれか１項記載の自己発振プッシュプルｄｃ／ｄｃコンバータを装備しているテレビジョン装置またはモニタ。
【手続補正２】
【補正対象書類名】明細書
【補正対象項目名】０００８
【補正方法】変更
【補正の内容】
【０００８】
要約すると、本発明は、１次巻線及び２次巻線を有するトランスを少なくとも１つ備え、該トランスの１次巻線は直流電源に接続可能であり、バイアス手段を備えた駆動電極を有している能動電子スイッチング手段を備え、該スイッチング手段は前記トランスの巻線を介して交流電流が流れるようにし、前記トランスの巻線の少なくとも１つにおける過電流を検出するための手段が該巻線および保護回路に接続されており、該保護回路は前記検出手段の出力側に接続されている第１の入力側と、前記直流電源に接続されている第２の入力側と、前記スイッチング手段の前記駆動電極の数と同じ数の出力側とを有しており、該出力側は第１の状態と第２の状態とをとることができ、該第１の状態は、前記検出手段の検出された電流が所定のレベル以下にあるときの前記出力側の状態であり、前記第２の状態は、前記検出手段によって検出された電流が所定のレベルを上回っているときの前記出力側の状態であり、前記保護回路の前記出力側は前記能動電子スイッチング手段の前記バイアス手段に接続されており、該バイアス手段は、前記保護回路の前記出力側が第１の状態にあるとき、前記スイッチング手段を通常の動作状態に駆動し、かつ前記出力側が第２の状態にあるとき前記スイッチング手段を持続的なオフ状態に駆動する、ｄｃ／ｄｃコンバータであって、前記保護回路の前記第２の入力側は、該保護回路の前記出力側の第１の状態を変化させる最適駆動回路を介して前記直流電源に接続されており、前記第１の状態は、該直流電源が電圧値の第１の範囲にあるとき第１のレベルに設定され、直流電源が電圧値の第２の範囲にあるとき第２のレベルに設定されることを特徴とするｄｃ／ｄｃコンバータである。
【手続補正３】
【補正対象書類名】明細書
【補正対象項目名】０００９
【補正方法】変更
【補正の内容】
【０００９】
有利な形態において、本発明は、また、少なくとも第１の１次巻線および第２の１次巻線および少なくとも１つの２次巻線を有している第１のトランスを備え、１次巻線および２次巻線を有している第２のトランスを備え、該第２のトランスの前記１次巻線は中間タップを有しており、前記第１のトランスの前記第１の１次巻線および第２の１次巻線は、前記第２のトランスの前記１次巻線および第１の能動電子スイッチング手段および第２の能動電子スイッチング手段に直列に接続されており、該スイッチング手段はそれぞれ、バイアス手段を備えた駆動部を有しており、前記第１のスイッチング手段は前記第１のトランスの前記第１の１次巻線と前記第２のトランスの前記１次巻線の前記中間タップとの間を流れる電流をスイッチングするために接続されており、前記第２のスイッチング手段は前記第１のトランスの前記第２の１次巻線と前記第２のトランスの前記１次巻線の前記中間タップとの間を流れる電流をスイッチングするために接続されており、該スイッチング手段それぞれの前記駆動部は前記第２のトランスの前記第２の２次巻線からフィードバックされるようになっており、前記トランスの巻線の１つにおける過電流を検出するための手段が設けられており、該検出手段は該巻線および保護回路に接続されており、該保護回路は前記検出手段の出力側に接続されている第１の入力側と、直流電源に接続されている第２の入力側と、前記スイッチング手段の前記駆動部の数と同じ数の出力側とを有しており、該出力側は第１の状態と第２の状態とをとることができ、該第１の状態は、前記検出手段の検出された電流が所定のレベル以下にあるときの前記出力側の状態であり、前記第２の状態は、前記検出手段によって検出された電流が所定のレベルを上回っているときの前記出力側の状態であり、前記保護回路の前記出力側は前記スイッチング手段の前記バイアス手段に接続されており、該バイアス手段は、前記保護回路の前記出力側が第１の状態にあるとき、前記スイッチング手段を通常の動作状態に駆動しかつ前記出力側が第２の状態にあるとき、前記スイッチング手段をオフ状態に駆動する、自己発振プッシュプルｄｃ／ｄｃコンバータであって、前記保護回路の前記第２の入力側は、該保護回路の前記出力側の第１の状態を変化させる最適駆動回路を介して前記直流電源に接続されており、前記第１の状態は、該直流電源が電圧値の第１の範囲にあるとき第１のレベルに設定され、直流電源が電圧値の第２の範囲にあるとき第２のレベルに設定される、ことを特徴とする自己発振プッシュプルｄｃ／ｄｃコンバータである。